(57)【要約】      （修正有）【課題】一般的な直流電源ジャック及び二口ジャックコネクタの直流電源ジャックの構造を改良し、直流電源ジャックまたは二口ジャックコネクタの本体と、その正極導電セット部品間を強固に固定し、弛みや接触不良の問題を解決することのできる、直流電源ジャックの提供。【解決手段】直流電源ジャック３３とイヤホンジャック３２が共同で該二口ジャックコネクタ３０の本体を構成すると共に、直流電源ジャックは導電棒４０と導電板片４５とを含み、導電棒の後段部４３末端と導電板片を連結し一体として正極導電構造を構成し、導電棒の棒体上に、二口ジャックコネクタ本体壁面内側を支持する環状頚部４１を形成し、導電板片は、二口ジャックコネクタ本体背面上を支持して設置され、二口ジャックコネクタ本体の内外両面から本体を圧迫し、安定した強固な圧迫構造を形成し、正極導電セット部品の弛みや接触不良を防ぐ。【選択図】図７
0003102381.tif 000002
【実用新案登録請求の範囲】
【請求項１】
直流電源ジャックとイヤホンジャックを備えた二口ジャックコネクタにおいて、該直流電源ジャックとイヤホンジャックが共同で該二口ジャックコネクタの本体を構成すると共に、前記直流電源ジャックは、導電棒と導電板片とを含み、前記導電棒の後段部末端と前記導電板片を連結し一体として正極導電構造を構成し、該導電棒の棒体上に、前記二口ジャックコネクタ本体壁面内側を支持する環状頚部を形成し、前記導電板片は、該二口ジャックコネクタ本体背面上を支持して設置され、且つ、回路板と電気接続するための接続部を設けたことを特徴とする、直流電源ジャック。
【請求項２】
前記二口ジャックコネクタの本体背面に固定槽を設け、前記導電板片を該固定槽内に固定した、請求項１に記載の直流電源ジャック。
【請求項３】
前記導電棒の後段部末端にリベット固定により結合構造を形成した、請求項１または２に記載の直流電源ジャック。
【考案の詳細な説明】
【技術分野】
【０００１】
本考案は、直流電源ジャックに関し、特に二口ジャックコネクタの直流電源ジャックに適用する正極導電構造に関する。
【背景技術】
【０００２】
図１及び図２に一般的な二口ジャックコネクタ１０を示す。イヤホンジャック１２と直流電源ジャック１３を備えた一体構造のコネクタであり、一般にDC電源／イヤホンジャック（DC power/Earphone jack）と呼ばれるものである。この二口ジャックコネクタ１０は、直流電源との接続及びイヤホン接続の二つの機能を提供するものであるため、図３に示すように、多く携帯電話２０の回路板２５上に用いられており、携帯電話２０にバッテリ充電とイヤホン利用の機能を提供している。
【０００３】
このような二口ジャックコネクタ１０の直流電源ジャック１３の構造は、一般的な直流電源ジャックの構造とほぼ同じであり、同様の構造の正極導電端子１４、接地端子１５及び負極導電端子１６を備え、特に、正極導電端子１４の後端部に彎曲を加えて接続ピンを形成している部分が、接地端子１５と負極導電端子１６の接続ピンの部分と共に、該二口ジャックコネクタ１０を含む本体１１の背面に露出しており、また、正極導電端子１４の中段部を該二口ジャックコネクタ１０の本体１１に嵌置して固定することでのみ、該正極導電端子１４の前端部を直流電源ジャック１３の挿入槽内に位置決め固定している。
【０００４】
しかし、該二口ジャックコネクタ１０を備えた本体１１上に該正極導電端子１４を固定する手段が、該正極導電端子１４の中段部を嵌合するという方法のみに頼っているため、該正極導電端子１４をしっかりと固定する力が不足し、安定した固定が得られない構造となっている。このため、一定期間使用後、該正極導電端子１４が弛んで動いてしまう現象が容易に発生し、前記二口ジャックコネクタ１０の直流導電端子１３と、一般的な直流電源ジャックは、共に正極導電端子１４の電気的接触不良を招きやすく、携帯電話２０の充電における問題または故障の原因となってしまう。
【考案の開示】
【考案が解決しようとする課題】
【０００５】
前述の問題に鑑みて、本考案は、一般的な直流電源ジャック及び二口ジャックコネクタの直流電源ジャックの構造を改良し、直流電源ジャックまたは二口ジャックコネクタの本体と、その正極導電セット部品間を強固に固定し、弛みや接触不良の問題を解決することのできる、二口ジャックコネクタの直流電源ジャックを提供することにある。
【０００６】
さらに、本考案は、導電棒と導電板片を含み、これらを一般的な直流電源ジャックの本体上または二口ジャックコネクタの本体上に固定し、直流電源ジャックまたは二口ジャックコネクタの本体と強固に結合した構造を成す、正極導電セット部品の提供を目的とする。
【課題を解決するための手段】
【０００７】
直流電源ジャックとイヤホンジャックを備えた二口ジャックコネクタにおいて、該直流電源ジャックとイヤホンジャックが共同で該二口ジャックコネクタの本体を構成すると共に、前記直流電源ジャックは、導電棒と導電板片とを含み、前記導電棒の後段部末端と前記導電板片を連結し一体として正極導電構造を構成し、該導電棒の棒体上に、前記二口ジャックコネクタ本体壁面内側を支持する環状頚部を形成し、前記導電板片は、該二口ジャックコネクタ本体背面上を支持して設置され、該二口ジャックコネクタ本体の内外両面から該本体を圧迫し、安定した強固な圧迫構造を形成し、正極導電セット部品の弛みや接触不良を防ぐ。
【考案の効果】
【０００８】
本考案の直流電源ジャックの構造によれば、導電棒及び導電板片を同時に二口ジャックコネクタの本体壁面の内外両側に圧迫することで、安定した強固な圧迫構造が形成されるため、長期間使用しても弛みや接触不良を発生することがない。また、本体底面に開設した観察孔を利用し、挿入されたプラグと端子が良好な電気的接続を形成しているかを確認することができ、製品出荷前の品質管理に非常に便利である。  
【考案を実施するための最良の形態】
【０００９】
図４から図９に示すように、本考案の正極導電セット部品は、導電棒４０と導電板片４５を含み、二口ジャックコネクタ３０の直流電源ジャック３３または一般的な直流電源ジャック６０に適用することができ、該導電棒４０と導電板片４５を共に二口ジャックコネクタ３０の本体３１または一般的な直流電源ジャック６０の本体６１上に固定した後、該二口ジャックコネクタ３０の直流電源ジャック３３の正極導電セット部品、または一般的な直流電源ジャック６０の正極導電セット部品を構成する。
【００１０】
前記直流電源ジャック６０の構造は、前記二口ジャックコネクタ３０の直流電源ジャック３３と同じであるため、以下の具体的な説明は、二口ジャックコネクタ３０の直流電源ジャック３３についてのみ詳細に説明するが、前記直流電源ジャック６０にも同様に適用されるものとする。
【００１１】
図４から図６に本考案の二口ジャックコネクタ３０を示す。二口ジャックコネクタ３０は、イヤホンジャック３２と直流電源ジャック３３を備え、且つ、該イヤホンジャック３２及び直流電源ジャック３３は共に一体式の本体３１を構成する。
【００１２】
前記二口ジャックコネクタ３０のイヤホンジャック３２は、一般的なイヤホンジャックの構造と大体において同じであり、イヤホンプラグを挿入する挿入槽と、一対の信号端子３８を備え、イヤホンのプラグを挿入後、電気的接触を構成する。前記直流電源ジャック３３は、一般的な直流電源ジャックの構造と大体において同じであり、直流電源プラグを挿入する挿入槽と、接地端子36及び負極端子３７を備えている。但し、導電棒４０及び導電板片４５により、その正極導電セット部品を構成し、直流電源のプラグを挿入後、電気的接続を形成する。
【００１３】
図５及び図６に示すように、前記直流電源ジャック３３の正極導電セット部品は、前記導電棒４０と導電板片４５を一緒にリベットまたはネジにより前記二口ジャックコネクタ３０の本体３１の壁面上に固定して構成することができるが、リベットによる固定を最良の実施例とする。
【００１４】
前記導電棒４０は、金属製の細長い棒体であり、棒体上に比較的太い外径の環状頚部４１を備え、且つ、該導電棒４０の棒体は前段部４２と後段部４３に区分される。該導電棒４０の前段部４２は、直流電流のプラグの挿入を受け、正極性の電流接続を形成し、該導電棒４０の後段部４３の長さは、前記二口ジャックコネクタ３０の本体３１の壁面厚と該導電板片４５の厚さを超える十分な長さがあり、且つ、該後段部４３の末端部分は、前記導電板片４５とリベットで固定し、結合構造４８を形成するため、該後段部４３の末端部分は、中空部４４を形成する筒状の構造とする。
【００１５】
前記導電板片４５は、金属製の扁平な板体であり、槽孔４６及び彎曲を経た接続部４７を備え、該槽孔４６の孔径は、前記導電棒４０の後段部４３の棒径よりやや大きく、該導電棒４０の後段部４３末端を穿通することができる。
【００１６】
前記二口ジャックコネクタ３０の本体３１は、直流電源ジャック３３の差込口後方の厚壁面内に、該厚壁面を貫通する槽孔３５を備え、該槽孔３５の孔径は、前記導電棒４０の後段部４３の棒径よりやや大きく、且つ該導電棒４０の前記環状頚部４１より小さいものとする。
【００１７】
図６に示すように、前記導電棒４０は、その後段部４２を前記本体３１の槽孔３５内に挿入後、その環状頚部４１が該本体３１の厚壁面上に引っかかり、このとき、前記導電板片４５の槽孔４６を、該本体３１の外側にすでに露出している該導電棒４０の後段部４３末端部に合わせて嵌入し、該導電棒４０及び導電板片４５で図８に示す組立て後の状態を形成する。さらに、該導電棒４０の後段部４３末端をリベットにより固定し、図５及び図６に示す結合構造４８を形成し、該導電棒４０及び導電板片４５が共同で直流電源ジャック３３の正極導電セット部品を構成する。
【００１８】
さらに、該導電棒４０は、その環状頚部４１及び後段部４３末端の結合構造４８を利用し、二口ジャックコネクタ30の本体３１壁面に対し圧迫を与えることができ、該導電棒４０及び導電板片４５を同時に該二口ジャックコネクタ３０の本体３１壁面の内外両側に圧迫し、安定した強固な圧迫構造が形成されるため、該導電棒４０は長時間使用後も弛みを発生することはない。
【００１９】
前記二口ジャックコネクタ３０の直流電流ジャック３３の本体３１背面上に、別途固定溝３４を形成してもよく、該固定溝３４に前述の導電板片４５を収納し、該導電板片４５を位置決めすることができる。前述の導電棒４０及び導電板片４５をリベットで固定する作業においては、該導電板片４５が確実に該固定溝３４内に固定されるため、リベット固定作業をより円滑に行なうことができる。
【００２０】
このほか、図９に示すように、本考案の二口ジャックコネクタ３０の本体３１底面上に、一つまたは一つ以上の観察孔３９を開設してもよく、該観察孔３９の位置は、前記イヤホンジャック３２の差込口内に設置収納される信号端子３８、または直流電源ジャック３３の差込口内の接地端子３６及び負極端子３７に対応する位置とすることにより、該観察孔３９の外側から、本体３１内部の信号端子３８、接地端子36及び負極端子３７を確認することができる。
【００２１】
イヤホンのプラグが前記イヤホンジャック３２の差込口に挿入されたとき、または、直流電源のプラグが前記直流電源ジャック３３の差込口に挿入されたとき、前記観察孔３９を利用し、イヤホンのプラグが前記イヤホンジャック３２の信号端子３８と良好な電気的接続を形成しているか、または、直流電源のプラグが直流電源ジャック３３の接地端子３６および負極端子３７と良好な電気的接続を形成しているかを確認することができ、製品出荷前の品質管理に非常に便利である。
【００２２】
このため、図４に示すように、本考案の二口ジャックコネクタ３０は、前記イヤホンジャック３２の一対の信号端子３８の接続ピン、及び直流電源ジャック３３の導電板片４５の接続部４７、接地端子36及び負極端子３７の接続ピンを利用し、携帯電話の回路板２５と電気接続することができ、携帯電話に充電に用いる直流電源ジャック３３及びイヤホンジャック３２を備えさせることができる。
【図面の簡単な説明】
【００２３】
【図１】従来の二口ジャックコネクタの立体斜視図である。
【図２】図１の二口ジャックコネクタの背面を示す立体斜視図である。
【図３】図１の二口ジャックコネクタを携帯電話に使用した状態を示す立体透視図である。
【図４】本考案の二口ジャックコネクタを回路板上に設置した状態を示す立体斜視図である。
【図５】本考案の二口ジャックコネクタの背面を示す立体斜視図である。
【図６】図５の二口ジャックコネクタを６−６の線で切断した拡大断面図である。
【図７】本考案の直流電源ジャックの正極導電セット部品の立体分解図である。
【図８】本考案の直流電源ジャックを一般的な直流電源ジャックに適用した状態を示す立体背面斜視図である。
【図９】本考案の二口ジャックコネクタの底面に観察孔を開設した状態を示す立体斜視図である。
【符号の説明】
【００２４】
１０        二口ジャックコネクタ
１１        本体
１２        イヤホンジャック
１３        直流電源ジャック
１４        正極導電端子
１５        接地端子
１６        負極導電端子
２０        携帯電話
２５        回路板
３０        二口ジャックコネクタ
３１、６１  本体
３２        イヤホンジャック
３３        直流電源ジャック
３４        固定槽
３５        槽孔
３６        接地端子
３７        負極端子
３８        信号端子
３９        観察孔
４０        導電棒
４１        環状頚部
４２        前段部
４３        後段部
４４        中空部
４５        導電板片
４６        槽孔
４７        接続部
４８        結合構造
６０        直流電源ジャック
【図１】
0003102381.tif 000003
【図２】
0003102381.tif 000004
【図３】
0003102381.tif 000005
【図４】
0003102381.tif 000006
【図５】
0003102381.tif 000007
【図６】
0003102381.tif 000008
【図７】
0003102381.tif 000009
【図８】
0003102381.tif 000010
【図９】
0003102381.tif 000011